(57)【要約】【課題】締付リング３０が、より確実に、樹脂管５０の周面に食い込んで、シール及び抜け止めができる樹脂管用継手を提供する。【解決手段】樹脂管５０を接続するために、被挿入部１２である内周側、及び雄螺子部１７が設けられた外周側を有する接続用環状部１１を備える継手本体１０と、樹脂管５０の先端部をテーパ状に拡径するように該先端部に内嵌めされるインコア２０と、継手本体１０のテーパ内周面１４に当接されるように先端から後端方向へ向って拡径するテーパ外周面３１が設けられると共に、後端から先端方向へ切り込まれた形状のスリット３２が設けられた締付リング３０と、継手本体１０の雄螺子部１７に螺合し、締付リング３０を締め付ける袋ナット４０とを備え、締付リング３０の先端部の内周に、内側へ帯リング状に盛り上がるように形成された帯リング状凸シール部３３を備える。【選択図】図１
2019152296.tif 000002
【特許請求の範囲】
【請求項１】
樹脂管を接続するために、該樹脂管の先端が挿入されて位置されるように受け段部が設けられた被挿入部である内周側、及び雄螺子部が設けられた外周側を有する接続用環状部を備え、前記被挿入部の挿入口の側に該挿入口から挿入方向へ向かって縮径するテーパ内周面が設けられた継手本体と、
外周側に先端から根元部に向って拡径するテーパ状に設けられたテーパ状外周部を有し、前記樹脂管の先端部をテーパ状に拡径するように該先端部に内嵌めされるインコアと、
前記樹脂管の先端近傍に外嵌めされるようにリング状に形成され、前記継手本体のテーパ内周面に当接されるように先端から後端方向へ向って拡径するテーパ外周面が設けられると共に、後端から先端方向へ切り込まれた形状のスリットが設けられた締付リングと、
該締付リングを内包するように前記継手本体の雄螺子部に螺合し、前記樹脂管と前記継手本体とのシール及び抜け止めを行うように、前記締付リングを締め付ける袋ナットとを備える樹脂管用継手において、
前記締付リングの先端部の内周に、内側へ帯リング状に盛り上がるように形成された帯リング状凸シール部を備えることを特徴とする樹脂管用継手。
【請求項２】
前記締付リングの軸方向の中途部であって前記スリットが設けられた部位の内周に、内側へ帯円弧状に盛り上がるように形成された帯円弧状凸抜け止め部を備えることを特徴とする請求項１記載の樹脂管用継手。
【請求項３】
前記インコアの外周面にリング状の段部が設けられていることを特徴とする請求項１又は２記載の樹脂管用継手。
【発明の詳細な説明】
【技術分野】
【０００１】
本発明は、樹脂管を接続するために、該樹脂管の先端が挿入されて位置されるように受け段部が設けられた被挿入部である内周側、及び雄螺子部が設けられた外周側を有する接続用環状部を備え、前記被挿入部の挿入口の側に該挿入口から挿入方向へ向かって縮径するテーパ内周面が設けられた継手本体と、外周側に先端から根元部に向って拡径するテーパ状に設けられたテーパ状外周部を有し、前記樹脂管の先端部をテーパ状に拡径するように該先端部に内嵌めされるインコアと、前記樹脂管の先端近傍に外嵌めされるようにリング状に形成され、前記継手本体のテーパ内周面に当接されるように先端から後端方向へ向って拡径するテーパ外周面が設けられると共に、後端から先端方向へ切り込まれた形状のスリットが設けられた締付リングと、該締付リングを内包するように前記継手本体の雄螺子部に螺合し、前記樹脂管と前記継手本体とのシール及び抜け止めを行うように、前記締付リングを締め付ける袋ナットとを備える樹脂管用継手に関する。
【背景技術】
【０００２】
従来、樹脂管の継手本体からの抜け止めを確実に行う樹脂管用継手の接続構造としては、端部拡径管が、樹脂管の内周面壁が食い込む複数本の竹の子状段部が刻設されたテーパリング部と、該テーパリング部の管端外周に突設された鍔部とから構成され、該鍔部の外径は、鍔部を継手本体に挿入できるように、継手本体の内周面の内径よりも小さく、かつ端部拡径管がシールリングから抜け出ることがないように、シールリングの内径よりも大きくなるように設定され、前記竹の子状段部は、テーパ状外周面に互いに隣接して複数段にわたり形成されている（特許文献１参照）ものが、提案されている。
【先行技術文献】
【特許文献】
【０００３】
【特許文献１】特開２００９−７９７５０号公報（第１頁）
【発明の概要】
【発明が解決しようとする課題】
【０００４】
樹脂管用継手に関して解決しようとする課題は、締付リングが、より確実に、樹脂管の周面に食い込んで、シール及び抜け止めができる形態について、より合理的なものが提案されていないことにある。
【０００５】
そこで、本発明の目的は、締付リングが、より確実に、樹脂管の周面に食い込んで、シール及び抜け止めができる樹脂管用継手を提供することにある。
【課題を解決するための手段】
【０００６】
本発明は上記目的を達成するために次の構成を備える。
本発明にかかる樹脂管用継手の一形態によれば、樹脂管を接続するために、該樹脂管の先端が挿入されて位置されるように受け段部が設けられた被挿入部である内周側、及び雄螺子部が設けられた外周側を有する接続用環状部を備え、前記被挿入部の挿入口の側に該挿入口から挿入方向へ向かって縮径するテーパ内周面が設けられた継手本体と、外周側に先端から根元部に向って拡径するテーパ状に設けられたテーパ状外周部を有し、前記樹脂管の先端部をテーパ状に拡径するように該先端部に内嵌めされるインコアと、前記樹脂管の先端近傍に外嵌めされるようにリング状に形成され、前記継手本体のテーパ内周面に当接されるように先端から後端方向へ向って拡径するテーパ外周面が設けられると共に、後端から軸方向へ切り込まれた形状のスリットが設けられた締付リングと、該締付リングを内包するように前記継手本体の雄螺子部に螺合し、前記樹脂管と前記継手本体とのシール及び抜け止めを行うように、前記締付リングを締め付ける袋ナットとを備える樹脂管用継手において、前記締付リングの先端部の内周に、内側へ帯リング状に盛り上がるように形成された帯リング状凸シール部を備える。
【０００７】
また、本発明にかかる樹脂管用継手の一形態によれば、前記締付リングの軸方向の中途部であって前記スリットが設けられた部位の内周に、内側へ帯円弧状に盛り上がるように形成された帯円弧状凸抜け止め部を備えることを特徴とすることができる。
【０００８】
また、本発明にかかる樹脂管用継手の一形態によれば、前記インコアの外周面にリング状の段部が設けられていることを特徴とすることができる。
【発明の効果】
【０００９】
本発明にかかる樹脂管用継手によれば、締付リングが、より確実に、樹脂管の周面に食い込んで、シール及び抜け止めができるという特別有利な効果を奏する。
【図面の簡単な説明】
【００１０】
【図１】本発明にかかる樹脂管用継手の形態例を示す断面図である。
【図２】本発明にかかる樹脂管用継手の構成要素である締付リングの形態例を示す先端側から見た斜視図である。
【図３】本発明にかかる樹脂管用継手の構成要素である締付リングの形態例を示す後端側から見た斜視図である。
【図４】本発明にかかる樹脂管用継手の他の形態例を示す断面図である。
【図５】本発明にかかる樹脂管用継手の構成要素であるインコアの形態例を示す先端側から見た斜視図である。
【発明を実施するための形態】
【００１１】
以下、本発明にかかる樹脂管用継手の形態例を添付図面（図１〜５）に基づいて詳細に説明する。本発明にかかる樹脂管用継手によって接続される樹脂管５０の代表例は、水道管を構成するものであり、また、水密シールを必要とするものである。なお、本発明にかかる樹脂管用継手は、水などの液体用として利用されるものに限定されることはなく、気体のシールを必要とする場合を含め、流体の管路の接続用として利用できるものである。
【００１２】
１０は継手本体であり、樹脂管５０を接続するために、該樹脂管５０の先端が挿入されて位置されるように受け段部１６が設けられた被挿入部１２である内周側、及び雄螺子部１７が設けられた外周側を有する接続用環状部１１を備え、被挿入部１２の挿入口１３の側に該挿入口１３から挿入方向へ向かって縮径するテーパ内周面１４が設けられている。なお、本形態例の受け段部１６は、筒状内側の所要の挿入深さ位置で段状に縮径されることで形成された円形状の内段になっているが、本発明では、これに限定されることはなく、樹脂管５０が適切な深さに挿入されるように、ストッパとして機能する形態となっていればよい。
【００１３】
また、本形態例では、被挿入部１２のテーパ内周面１４に連続する深さ方向の奥側には、徐々に縮径するテーパになっていない平行部１５（筒状の内周面）が設けられている。これによって、樹脂管５０の先端部が適切に挿入されて位置される形態になっている。また、本形態例では、雄螺子部１７の挿入方向の奥側に、スパナーなどの工具が嵌る六角形状などの外形部１８が形成されている。
【００１４】
また、この継手本体１０の接続用環状部１１に連続される形態は、本形態例では、内周側が流路となって外周側が接続用の雄螺子部１９になっているが、これに限定されず、種々の形態なっていてもよいのは勿論である。例えば、内周側に接続用の雌螺子部を有するものであってもよいし、接続用環状部１１からエルボ状やＴ状の流路が連続的に形成されて、その先に接続用の螺子やその他の接続形態を備えるものであってもよい。
【００１５】
２０はインコアであり、外周側に根元部に向って拡径するテーパ状に設けられたテーパ状外周部２１を有し、樹脂管５０の先端部をテーパ状に拡径するように該先端部に内嵌めされるように設けられている。なお、このテーパ状外周部２１のテーパ状とは、滑らかに徐々に拡径する形状の他に、リング状の凹部（溝状を含む）若しくはリング状の凸部などの段状形態のいずれか一つ或いはそれらの組合せを備えることで段々に拡径する形態も含まれることを意味する。
【００１６】
３０は締付リングであり、樹脂管５０の先端近傍に外嵌めされるようにリング状に形成され、継手本体１０のテーパ内周面１４に当接されるように先端から後端方向へ向って拡径するテーパ外周面３１が設けられると共に、後端から先端方向へ切り込まれたスリット３２が設けられている。なお、本形態例では、図２又は３に記載されているように、円周等分位置に４つのスリット３２が形成されているが、その数は本形態例に限定されることはなく、樹脂管５０のサイズなどに応じて適宜に設定できる。
【００１７】
４０は袋ナットであり、締付リング３０を内包するように継手本体１０の雄螺子部１７に、雌螺子部４２が螺合し、樹脂管５０と継手本体１０とのシール及び抜け止めを行うように、締付リング３０を締め付けるように設けられている。また、本形態例の袋ナット４０は、締付リング３０の後端に接する部分が、締付方向へ徐々に拡径する内面の傾斜面４１が形成されており、袋ナット４０が締め付けられて軸方向へ変位すると、内面の傾斜面４１が締付リング３０を押圧して樹脂管５０の挿入方向へ締め付ける形態になっている。なお、この内面の傾斜面４１に対応して、締付リング３０の後端も締付方向へ徐々に拡径する後端の傾斜面３５が形成されている。
【００１８】
そして、本発明にかかる樹脂管用継手においては、締付リング３０の先端部の内周に、内側へ帯リング状に盛り上がるように形成された帯リング状凸シール部３３を備える。本形態例の帯リング状凸シール部３３は、軸心を中心にして形成される円形リング状で、断面矩形状に盛り上がった形態であり、先端から所定の巾を有する帯状のシール面を備える形態になっている。
【００１９】
これによれば、締付リングが、より確実に、樹脂管５０の外周面に食い込んで、シール及び抜け止めを行うことができる。すなわち、締付リング３０の先端側の内周面の全体がシール面となっている場合よりも、シール面積の小さい線シールに近い形態になっているため、適度に締め付け力を集中できる形態となっている。従って、シールと抜け止めの両方の効果を高めることができる。このため、耐震性を高めることもできる。
【００２０】
また、本形態例の樹脂管用継手においては、締付リング３０の軸方向の中途部であってスリット３２が設けられた部位の内周に、内側へ帯円弧状に盛り上がるように形成された帯円弧状凸抜け止め部３４を備えている。本形態例の帯円弧状凸抜け止め部３４は、軸心を中心にして形成される円形リング状の形状が、スリット３２によって分割されることで形成される複数の円弧状になっており、締付リング３０の後端から締め付け方向へ所要の深さ離れた位置に、内側へ張り出した凸状に設けられている。
【００２１】
これによれば、帯円弧状凸抜け止め部３４が、締付リング３０の内周面の全体が抜け止め用の面となっている場合よりも、抜け止め用の面積の小さい線接触に近い形態になっているため、適度に締め付け力を集中できる形態となっている。従って、抜け止めの効果を高めることができ、耐震性を高めることができる。
【００２２】
そして、この帯円弧状凸抜け止め部３４が、スリット３２の深さ方向の中途部に設けられていることで、梃子の作用点となり、スリット３２が形成された円弧状側周壁の根元部が、支点となる。また、袋ナット４０で押圧されて管継手５０の挿入方向へ締め付けられると共に、袋ナット４０の内面の傾斜面４１及び／又は締付リング３０の後端の傾斜面３５によって内側へ押圧力を受ける締付リング３０の後端が、力点となる。これによれば、締付リング３０の後端を締め付ける力が、梃子の原理で効果的に作用し、帯円弧状凸抜け止め部３４が、管継手５０の外周面に確実に強く食い込み、抜け止めの効果を高めることができる。
【００２３】
また、図４に示す形態例の樹脂管用継手においては、インコア２０の外周面にリング状の段部２２が設けられている。本形態例では、インコア２０の外周面に軸方向の中途部に、二筋のリング状の段部２２が、凹溝状に形成されている。このインコア２０は、金属材で形成されており、図４、５に示すように、テーパ状外周部２１の拡径された根元部に、軸心線に直交する方向である外側へ張り出すように円形フランジ状に形成された鍔部２３を備える。
【００２４】
これによれば、締め付けられることで、樹脂管５０の内周面がリング状の段部２２に押し付けられて食い込み、抜け止め効果を高めることができる。そして、図４に示すように、前述の締付リング３０の形態と合わせて用いることで、シール及び抜け止めを、相乗効果で高めることができる。また、この鍔部２３によれば、インコア２０が樹脂管５０に挿入された際に、入り過ぎ防止や樹脂管５０の端部がだれるように変形することを防止できる。
【００２５】
また、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００２６】
１０  継手本体
１１  接続用環状部
１２  被挿入部
１３  挿入口
１４  テーパ内周面
１５  平行部
１６  受け段部
１７  雄螺子部
１８  外形部
１９  接続用の雄螺子部
２０  インコア
２１  テーパ状外周部
２２  リング状の段部
２３  鍔部
３０  締付リング
３１  テーパ外周面
３２  スリット
３３  帯リング状凸シール部
３４  帯円弧状凸抜け止め部
３５  後端の傾斜面
４０  袋ナット
４１  内面の傾斜面
４２  雌螺子部
５０  樹脂管
【図１】
2019152296.tif 000003
【図２】
2019152296.tif 000004
【図３】
2019152296.tif 000005
【図４】
2019152296.tif 000006
【図５】
2019152296.tif 000007
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
樹脂管を接続するために、該樹脂管の先端が挿入されて位置されるように受け段部が設けられた被挿入部である内周側、及び雄螺子部が設けられた外周側を有する接続用環状部を備え、前記被挿入部の挿入口の側に該挿入口から挿入方向へ向かって縮径するテーパ内周面が設けられた継手本体と、
外周側に先端から根元部に向って拡径するテーパ状に設けられたテーパ状外周部を有し、前記樹脂管の先端部をテーパ状に拡径するように該先端部に内嵌めされるインコアと、
前記樹脂管の先端近傍に外嵌めされるようにリング状に形成され、前記継手本体のテーパ内周面に当接されるように先端から後端方向へ向って拡径するテーパ外周面が設けられると共に、後端から先端方向へ切り込まれた形状のスリットが設けられた締付リングと、
該締付リングを内包するように前記継手本体の雄螺子部に螺合し、前記樹脂管と前記継手本体とのシール及び抜け止めを行うように、前記締付リングを締め付ける袋ナットとを備える樹脂管用継手において、
前記締付リングの先端部の内周に、内側へ帯リング状に盛り上がるように形成された帯リング状凸シール部を備え、
前記締付リングの軸方向の中途部であって前記スリットが設けられた部位における該スリットの深さ方向の中途部の内周に、内側へ帯円弧状に盛り上がるように形成された帯円弧状凸抜け止め部を備えることを特徴とする樹脂管用継手。
【請求項２】
前記帯リング状凸シール部と、前記帯円弧状凸抜け止め部とは、前記樹脂管の外周面に食い込んでシール及び抜け止めを行うように、所定の巾を有する帯状のシール面を備えることを特徴とする請求項１記載の樹脂管用継手。
【請求項３】
前記インコアの外周面にリング状の段部が設けられていることを特徴とする請求項１又は２記載の樹脂管用継手。
【手続補正２】
【補正対象書類名】明細書
【補正対象項目名】０００６
【補正方法】変更
【補正の内容】
【０００６】
本発明は上記目的を達成するために次の構成を備える。
本発明にかかる樹脂管用継手の一形態によれば、樹脂管を接続するために、該樹脂管の先端が挿入されて位置されるように受け段部が設けられた被挿入部である内周側、及び雄螺子部が設けられた外周側を有する接続用環状部を備え、前記被挿入部の挿入口の側に該挿入口から挿入方向へ向かって縮径するテーパ内周面が設けられた継手本体と、外周側に先端から根元部に向って拡径するテーパ状に設けられたテーパ状外周部を有し、前記樹脂管の先端部をテーパ状に拡径するように該先端部に内嵌めされるインコアと、前記樹脂管の先端近傍に外嵌めされるようにリング状に形成され、前記継手本体のテーパ内周面に当接されるように先端から後端方向へ向って拡径するテーパ外周面が設けられると共に、後端から先端方向へ切り込まれた形状のスリットが設けられた締付リングと、該締付リングを内包するように前記継手本体の雄螺子部に螺合し、前記樹脂管と前記継手本体とのシール及び抜け止めを行うように、前記締付リングを締め付ける袋ナットとを備える樹脂管用継手において、前記締付リングの先端部の内周に、内側へ帯リング状に盛り上がるように形成された帯リング状凸シール部を備え、前記締付リングの軸方向の中途部であって前記スリットが設けられた部位における該スリットの深さ方向の中途部の内周に、内側へ帯円弧状に盛り上がるように形成された帯円弧状凸抜け止め部を備える。
【手続補正３】
【補正対象書類名】明細書
【補正対象項目名】０００７
【補正方法】変更
【補正の内容】
【０００７】
また、本発明にかかる樹脂管用継手の一形態によれば、前記帯リング状凸シール部と、前記帯円弧状凸抜け止め部とは、前記樹脂管の外周面に食い込んでシール及び抜け止めを行うように、所定の巾を有する帯状のシール面を備えることを特徴とすることができる。